(57)【特許請求の範囲】
【請求項１】
照明光を標本に照射するための照明系と、前記標本からの光に基づいて前記標本の像を形成するための結像系とを備えた顕微鏡において、
前記照明光を前記照明系の光路から抽出する光抽出手段と、
前記光抽出手段を介して前記照明系の光路から抽出された照明光をマクロ観察用標本に照射するためのマクロ照明系と、
前記マクロ照明系によって照射された前記マクロ観察用標本からの光を集光するためのマクロ結像系と、
前記マクロ結像系を介した前記マクロ観察用標本からの光を前記結像系の光路へ導くための光挿入手段とを備え、
前記マクロ結像系は、前記結像系により形成される像位置に前記マクロ観察用標本の像を形成することを特徴とするマクロ観察可能な顕微鏡。
【請求項２】
前記照明系は前記標本を透過照明し、前記マクロ照明系は前記マクロ観察用標本を透過照明し、
前記光抽出手段は、前記照明光の光路に対して挿脱自在な偏向手段であり、
前記光挿入手段は、前記結像系の光路に対して挿脱自在な偏向手段であることを特徴とする請求項１に記載のマクロ観察可能な顕微鏡。
【請求項３】
前記照明系は、前記照明光に収れん作用を付与して、該収れん光を前記標本へ導くためのコンデンサーレンズを有し、
前記結像系は、前記標本からの光をほぼ平行光束に変換する対物レンズと、前記平行光束を集光して前記標本の像を形成する結像レンズとを有し、
前記マクロ照明系は、前記光抽出手段を介した前記照明光に収れん作用を付与して、該収れん光を前記マクロ観察用標本へ導くためのマクロ用コンデンサーレンズを有し、
前記マクロ結像系は、前記マクロ観察用標本からの光をほぼ平行光束に変換するマクロ用対物レンズを有し、
前記光挿入手段は、前記対物レンズと前記結像レンズとの間の光路中に配置されていることを特徴とする請求項１に記載のマクロ観察可能な顕微鏡。
【請求項４】
前記対物レンズは前記コンデンサーレンズと共用する如く構成されると共に、前記マクロ用対物レンズは前記マクロ用コンデンサーレンズと共用する如く構成され、さらに、前記光挿入手段は前記光抽出手段と共用する如く構成され、
前記照明系は前記対物レンズを介して前記標本を落射照明し、前記マクロ照明系は前記マクロ用対物レンズを介して前記マクロ観察用標本を落射照明することを特徴とする請求項３に記載のマクロ観察可能な顕微鏡。
【請求項５】
前記光挿入手段および前記光抽出手段は、前記照明系からの照明光の一部を反射または透過させて前記標本へ導くと共に、前記照明系からの照明光の一部を透過または反射させて前記マクロ観察用標本へ導く半透過膜を有し、
前記照明系は、前記半透過膜と前記標本との間の光路に設けられた第１シャッター手段と、前記半透過膜と前記マクロ観察用標本との間の光路に設けられた第２シャッター手段とを有し、
前記第１および第２シャッター手段によって、前記標本と前記マクロ観察用標本とに対して光を選択的に導くことを特徴とする請求項４に記載のマクロ観察可能な顕微鏡。
【発明の詳細な説明】
【０００１】
【発明の属する技術分野】
本発明は顕微鏡に関し、特にマクロ観察可能な顕微鏡に関する。
【０００２】
【従来の技術】
図５は、従来の顕微鏡の構成を概略的に示す図である。
図５の顕微鏡では、光源１からの照明光は、コレクタレンズ２、視野絞り３、反射鏡４、フィールドレンズ５、開口絞り６、およびコンデンサーレンズ７を介して、ステージ８上に載置された標本９をケーラー照明する。標本９からの光は、第１対物レンズ１０および第２対物レンズ１１を介して、標本９の観察像１２を形成する。観察像１２は、接眼レンズ１３を介して肉眼により拡大観察される。
【０００３】
図５の顕微鏡は、図中破線で示すように、標本２０をマクロ観察（極低倍で標本を観察）するためのマクロ装置を備えている。マクロ観察用標本２０からの光は、マクロ用対物レンズ２１および反射鏡２２を介して、標本２０の一次像２３を形成する。一次像２３からの光は、リレーレンズ２４、光路に対して挿脱自在な反射鏡２５、および第２対物レンズ１１を介して、標本２０の観察像１２を形成する。観察像１２は、接眼レンズ１３を介して肉眼により拡大観察される。
【０００４】
【発明が解決しようとする課題】
上述の従来の顕微鏡では、マクロ観察も可能に構成されている。しかしながら、従来の顕微鏡のマクロ装置は、マクロ観察用標本の像を形成する結像系のみによって構成され、マクロ観察用標本を照明する照明系を備えていない。したがって、マクロ観察時には、部屋の蛍光灯や電気スタンドなどで標本を照らし、その反射光を利用してマクロ観察用標本の像すなわちマクロ像を形成している。その結果、反射率の低い標本に対して、良好なマクロ像を形成することができない。また、反射率の高い標本に対しても、照野の変更や明るさの調節などができないため、良好なマクロ像を得ることができない。
【０００５】
本発明は、前述の課題に鑑みてなされたものであり、標本の反射率に依存することなく、良好なマクロ像を得ることのできる顕微鏡を提供することを目的とする。
【０００６】
【課題を解決するための手段】
前記課題を解決するために、本発明においては、照明光を標本に照射するための照明系と、前記標本からの光に基づいて前記標本の像を形成するための結像系とを備えた顕微鏡において、
前記照明光を前記照明系の光路から抽出する光抽出手段と、
前記光抽出手段を介して前記照明系の光路から抽出された照明光をマクロ観察用標本に照射するためのマクロ照明系と、
前記マクロ照明系によって照射された前記マクロ観察用標本からの光を集光するためのマクロ結像系と、
前記マクロ結像系を介した前記マクロ観察用標本からの光を前記結像系の光路へ導くための光挿入手段とを備え、
前記マクロ結像系は、前記結像系により形成される像位置に前記マクロ観察用標本の像を形成することを特徴とするマクロ観察可能な顕微鏡を提供する。
【０００７】
本発明の好ましい態様によれば、前記照明系は前記標本を透過照明し、前記マクロ照明系は前記マクロ観察用標本を透過照明し、前記光抽出手段は、前記照明光の光路に対して挿脱自在な偏向手段であり、前記光挿入手段は、前記結像系の光路に対して挿脱自在な偏向手段である。
また、前記照明系は、照明系は、前記照明光に収れん作用を付与して、該収れん光を前記標本へ導くためのコンデンサーレンズを有し、
前記結像系は、前記標本からの光をほぼ平行光束に変換する対物レンズと、前記平行光束を集光して前記標本の像を形成する結像レンズとを有し、前記マクロ照明系は、前記光抽出手段を介した前記照明光に収れん作用を付与して、該収れん光を前記マクロ観察用標本へ導くためのマクロ用コンデンサーレンズを有し、前記マクロ結像系は、前記マクロ観察用標本からの光をほぼ平行光束に変換するマクロ用対物レンズを有し、前記光挿入手段は、前記対物レンズと前記結像レンズとの間の光路中に配置されている。
【０００８】
【発明の実施の形態】
上述のように、本発明では、顕微鏡本体の照明系の光路から抽出された照明光をマクロ観察用標本に照射する。そして、マクロ観察用標本からの光をマクロ結像系を介して顕微鏡本体の結像系の光路に戻すことによって、顕微鏡本体の結像系により形成される像位置にマクロ観察用標本の像を形成する。
【０００９】
すなわち、本発明では、照明系の光路や結像系の光路に対して挿脱自在な偏向手段などを介在させることによって、顕微鏡本体の対物レンズの光軸から間隔を隔ててバイパス光路を構成している。したがって、このバイパス光路中に、マクロ観察すべき標本、極低倍用（マクロ用）コンデンサーレンズ、開口絞りなどを適宜配置することによって、マクロ観察用標本に対しても適正な照明を行うことができる。その結果、マクロ観察用標本の反射率に依存することなく、良好なマクロ像を得ることが可能となる。
【００１０】
なお、本発明では、マクロ観察用標本からの光を顕微鏡本体の結像系の光路に戻し、顕微鏡本体の結像系の像面位置にマクロ像を形成する。したがって、通常の顕微鏡装置をそのまま利用して、接眼レンズを介してマクロ像を観察したり、カメラを介してマクロ像を写真撮影したり、テレビカメラを介してマクロ像を撮像したりすることができる。
【００１１】
また、本発明では、標本を支持するためのステージ手段とマクロ観察用標本を支持するためのマクロステージ手段とを一体的に構成するのが好ましい。この場合、ステージ手段の支持面とマクロステージ手段の支持面とをほぼ同じ高さに形成するのが、さらに好ましい。こうして、マクロ装置における所定の操作に加えて、標本を水平方向にスライドさせるだけで、標本を極低倍で随時観察することができる。
【００１２】
以下、本発明の実施例を、添付図面を参照して説明する。
図１は、本発明の第１実施例にかかる顕微鏡の構成を概略的に示す図である。図１の顕微鏡本体は、照明光を供給するための光源１を備えている。光源１からの照明光は、コレクタレンズ２で集光された後、視野絞り３を介して、反射鏡４に入射する。反射鏡４で折り曲げられた照明光は、フィールドレンズ５、開口絞り６およびコンデンサーレンズ７を介して、ステージ８上に載置された標本９をケーラー照明する。
【００１３】
照明光に対する標本９からの透過光は、対物レンズである第１対物レンズ１０を介して平行光になった後、結像レンズである第２対物レンズ１１に入射する。第２対物レンズ１１を介した光は、プリズムＰにより複数回反射された後、接眼レンズ１３の前側焦点位置近傍に標本９の観察像１２を形成する。観察像１２は、接眼レンズ１３を介して肉眼により拡大観察される。なお、ここで言う平行光とは、完全な平行光のみならず、若干収れんまたは発散した光も含む概念である。
このように、光源１、コレクタレンズ２、視野絞り３、反射鏡４、フィールドレンズ５、開口絞り６およびコンデンサーレンズ７は、標本９を透過照明するための透過照明系を構成している。また、第１対物レンズ１０、第２対物レンズ１１およびプリズムＰは、標本９の像を形成するための結像系を構成している。
【００１４】
図１の顕微鏡本体には、図中破線で示すように、マクロステージ８’上に載置された標本９’をマクロ観察するためのマクロ装置Ｍが付設されている。マクロ装置Ｍは、顕微鏡本体のフィールドレンズ５と開口絞り６との間の光路に対して挿脱自在な反射鏡１４を備えている。したがって、反射鏡１４が光路に挿入された状態では、フィールドレンズ５を介した光源１からの照明光は、反射鏡１４で図中水平方向に折り曲げられた後、マクロ開口絞り６’に入射する。マクロ開口絞り６’を介した照明光は、反射鏡１５で図中上方に反射された後、極低倍用（マクロ用）コンデンサーレンズ７’を介して、マクロステージ８’上に載置されたマクロ観察用標本９’をケーラー照明する。
【００１５】
標本９’からの透過光は、マクロ用対物レンズである極低倍用第１対物レンズ１０’を介して平行光に変換された後、反射鏡１６で図中水平方向に折り曲げられる。反射鏡１６を介した標本９’からの光は、顕微鏡本体の第１対物レンズ１０と第２対物レンズ１１との間の光路に対して挿脱自在な反射鏡１７に入射する。反射鏡１７で図中上方に導かれた光は、第２対物レンズ１１を介した後、プリズムＰにより複数回反射され、接眼レンズ１３の前側焦点位置近傍に標本９’の観察マクロ像１２を形成する。観察マクロ像１２は、接眼レンズ１３を介して肉眼により拡大観察される。
【００１６】
このように、光源１、コレクタレンズ２、視野絞り３、反射鏡４、フィールドレンズ５、反射鏡１４、マクロ開口絞り６’、反射鏡１５および極低倍用コンデンサーレンズ７’は、マクロ観察用の標本９’を透過照明するためのマクロ透過照明系を構成している。
また、極低倍用第１対物レンズ１０’は、マクロ観察用の標本９’からの光を集光するマクロ結像系を構成している。
【００１７】
なお、マクロ装置のマクロステージ８’は顕微鏡本体のステージ８と一体的に構成され、ステージ８の支持面とマクロステージ８’の支持面とがほぼ同じ高さに形成されている。したがって、マクロ観察時には、顕微鏡本体のステージ８上に載置された標本を水平方向にスライドさせるだけで、マクロステージ８’上の所定位置に標本を位置決めすることができる。また、マクロ観察時には、マクロ装置における操作として、反射鏡１４および１７を顕微鏡本体の光路中に挿入する。こうして、マクロステージ上の標本をマクロ透過照明系で適正に透過照明することにより、標本の反射率に依存することなく良好なマクロ像を形成することができる。
【００１８】
図２は、本発明の第２実施例にかかる顕微鏡の構成を概略的に示す図である。第２実施例の顕微鏡は、第１実施例と類似の構成を有するが、反射照明系が付設されている点だけが第１実施例と相違する。したがって、図２において、第１実施例の構成要素と同様の機能を有する要素には図１と同じ参照符号を付している。以下、第１実施例との相違点に着目しながら、第２実施例を説明する。
【００１９】
図２の反射照明系は、反射照明光を供給するための光源２１を備えている。光源２１からの照明光は、コレクタレンズ２２、リレーレンズ系（２３ａ〜２３ｃ）、開口絞り２４および視野絞り２５を介して、顕微鏡本体の第１対物レンズ１０と第２対物レンズ１１との間の光路中に配置されたハーフミラー２６に入射する。
ハーフミラー２６で図中下方に折り曲げられた照明光は、第１対物レンズ１０を介して、顕微鏡本体のステージ８上に載置された標本９をケーラー照明する。
【００２０】
照明光に対する標本９からの反射光は、第１対物レンズ１０、ハーフミラー２６および第２対物レンズ１１を介した後、プリズムＰにより複数回反射され、接眼レンズ１３の前側焦点位置近傍に標本９の観察像１２を形成する。観察像１２は、接眼レンズ１３を介して肉眼により拡大観察される。
このように、光源２１、コレクタレンズ２２、リレーレンズ系（２３ａ〜２３ｃ）、開口絞り２４、視野絞り２５、ハーフミラー２６、第１対物レンズ１０は、標本９を反射照明するための反射照明系を構成している。
【００２１】
一方、マクロ観察時には、ハーフミラー２６で図中下方に折り曲げられた照明光は、第１対物レンズ１０とハーフミラー２６との間の光路中に挿入された反射鏡１７に入射する。反射鏡１７で図中水平方向に折り曲げられた照明光は、反射鏡１６および極低倍用第１対物レンズ１０’を介して、マクロステージ８’上に載置されたマクロ観察用標本９’をケーラー照明する。
【００２２】
照明光に対する標本９’からの反射光は、極低倍用第１対物レンズ１０’、反射鏡１６、反射鏡１７、ハーフミラー２６、第２対物レンズ１１およびプリズムＰを介して、標本９’の観察マクロ像１２を形成する。観察マクロ像１２は、接眼レンズ１３を介して肉眼により拡大観察される。
このように、光源２１、コレクタレンズ２２、リレーレンズ系（２３ａ〜２３ｃ）、開口絞り２４、視野絞り２５、ハーフミラー２６、反射鏡１７、反射鏡１６、極低倍用第１対物レンズ１０’は、マクロ観察用の標本９’を反射照明するためのマクロ反射照明系を構成している。
【００２３】
第２実施例において、マクロ観察時には、顕微鏡本体のステージ８上に載置された標本をマクロステージ８’上にスライドさせるとともに、反射鏡１７を顕微鏡本体の光路中に挿入する。こうして、マクロステージ上の標本をマクロ反射照明系で適正に反射照明することによって、標本の反射率に依存することなく良好なマクロ像を形成することができる。
【００２４】
図３は、本発明の第３実施例にかかる顕微鏡の構成を概略的に示す図である。第３実施例の顕微鏡は、第１実施例と類似の構成を有する。しかしながら、第１実施例ではマクロ装置が顕微鏡本体の光路に対して挿脱自在な反射鏡１４を備えているのに対し、第３実施例では顕微鏡本体の反射鏡４を光路に対して挿脱自在に構成している点が基本的に相違する。したがって、図３において、第１実施例の構成要素と同様の機能を有する要素には図１と同じ参照符号を付している。以下、第１実施例との相違点に着目しながら、第３実施例を説明する。
【００２５】
図３のマクロ装置Ｍは、顕微鏡本体の光路に対して挿脱自在な反射鏡４の後側に配置されたマクロ用フィールドレンズ５’を備えている。したがって、反射鏡４が光路から取り外されたマクロ観察状態では、コレクタレンズ２および視野絞り３を介した光源１からの照明光は、マクロ用フィールドレンズ５’に入射する。マクロ用フィールドレンズ５’を通過した照明光は、反射鏡１５、マクロ開口絞り６’および極低倍用コンデンサーレンズ７’を介して、マクロステージ８’上に載置されたマクロ観察用標本９’をケーラー照明する。
【００２６】
標本９’からの透過光は、極低倍用第１対物レンズ１０’を介して平行光に変換された後、反射鏡１６で図中水平方向に折り曲げられる。反射鏡１６を介した標本９’からの光は、アフォーカルズームレンズ系１８を介した後、顕微鏡本体の第１対物レンズ１０と第２対物レンズ１１との間の光路に対して挿脱自在な反射鏡１７に入射する。反射鏡１７で図中上方に導かれた光は、第２対物レンズ１１およびプリズムＰを介して、観察マクロ像１２を形成する。観察マクロ像１２は、接眼レンズ１３を介して肉眼により拡大観察される。
【００２７】
このように、光源１、コレクタレンズ２、視野絞り３、マクロ用フィールドレンズ５’、反射鏡１５、マクロ開口絞り６’および極低倍用コンデンサーレンズ７’は、マクロ観察用の標本９’を透過照明するためのマクロ透過照明系を構成している。
また、極低倍用第１対物レンズ１０’は、マクロ観察用の標本９’からの光を集光するマクロ結像系を構成している。
【００２８】
第３実施例において、マクロ観察時には、顕微鏡本体のステージ８上に載置された標本をマクロステージ８’上にスライドさせ、顕微鏡本体の反射鏡４を光路から取り外し、マクロ装置の反射鏡１７を光路中に挿入する。こうして、マクロステージ上の標本をマクロ透過照明系で適正に透過照明することによって、標本の反射率に依存することなく良好なマクロ像を形成することができる。
【００２９】
なお、第３実施例では、アフォーカルズームレンズ系１８の作用により、観察マクロ像の倍率を随時変化させることができる。また、第３実施例のマクロ装置では、極低倍用コンデンサーレンズ７’に加えてマクロ用フィールドレンズ５’を備えているので、マクロ用フィールドレンズ５’も極低倍用に設計することによって設計の自由度が増す。
【００３０】
図４は、本発明の第４実施例にかかる顕微鏡の構成を概略的に示す図である。第４実施例の顕微鏡は、第３実施例と類似の構成を有するが、反射照明系が付設されている点だけが第３実施例と相違する。したがって、図４において、第３実施例の構成要素と同様の機能を有する要素には図３と同じ参照符号を付している。以下、第３実施例との相違点に着目しながら、第４実施例を説明する。
【００３１】
図４の反射照明系は、反射照明光を供給するための光源２１を備えている。光源２１からの照明光は、コレクタレンズ２２、リレーレンズ系（２３ａ〜２３ｃ）、開口絞り２４および視野絞り２５を介して、顕微鏡本体の第１対物レンズ１０と第２対物レンズ１１との間の光路中に配置されたハーフミラー２６に入射する。
ハーフミラー２６で反射された照明光は、第１対物レンズ１０を介して、顕微鏡本体のステージ８上に載置された標本９をケーラー照明する。なお、通常観察時には、ハーフミラー２６とアフォーカルズームレンズ系１８との光路中にシャッター手段として遮光板４２を挿入し、ハーフミラー２６の透過光が迷光となるのを未然に防止する。
【００３２】
照明光に対する標本９からの反射光は、第１対物レンズ１０、ハーフミラー２６、第２対物レンズ１１およびプリズムＰを介して、標本９の観察像１２を形成する。観察像１２は、接眼レンズ１３を介して肉眼により拡大観察される。
このように、光源２１、コレクタレンズ２２、リレーレンズ系（２３ａ〜２３ｃ）、開口絞り２４、視野絞り２５、ハーフミラー２６、第１対物レンズ１０は、標本９を反射照明するための反射照明系を構成している。
【００３３】
一方、マクロ観察時には、ハーフミラー２６を透過した照明光は、アフォーカルズームレンズ系１８、反射鏡１６および極低倍用第１対物レンズ１０’を介して、マクロステージ８’上に載置されたマクロ観察用標本９’をケーラー照明する。なお、マクロ観察時には、ハーフミラー２６と第１対物レンズ１０との光路中にシャッター手段として遮光板４１を挿入し、ハーフミラー２６での反射光が迷光となるのを未然に防止する。
【００３４】
照明光に対する標本９’からの反射光は、極低倍用第１対物レンズ１０’、反射鏡１６、アフォーカルズームレンズ系１８、ハーフミラー２６、第２対物レンズ１１およびプリズムＰを介して、標本９’の観察マクロ像１２を形成する。観察マクロ像１２は、接眼レンズ１３を介して肉眼により拡大観察される。
このように、光源２１、コレクタレンズ２２、リレーレンズ系（２３ａ〜２３ｃ）、開口絞り２４、視野絞り２５、ハーフミラー２６、アフォーカルズームレンズ系１８、反射鏡１６、極低倍用第１対物レンズ１０’は、マクロ観察用の標本９’を反射照明するためのマクロ反射照明系を構成している。
【００３５】
第４実施例において、マクロ観察時には、顕微鏡本体のステージ８上に載置された標本をマクロステージ８’上にスライドさせ、ハーフミラー２６と第１対物レンズ１０との光路中に遮光板４１を挿入する。こうして、マクロステージ上の標本をマクロ反射照明系で適正に反射照明しながら、標本の反射率に依存することなく良好なマクロ像を形成することができる。
【００３６】
なお、上述の各実施例では、マクロ装置を観察者から見て手前側に配置している。しかしながら、操作性を考慮して、マクロ装置を観察者から見て右側（図中紙面の向こう側）または左側（図中紙面の手前側）に配置してもよい。この場合、第３実施例および第４実施例では、反射鏡４を光路に対して挿脱駆動するのではなく、反射鏡４の反射面と入射光線の中心軸線との交点を通る所定の軸線を中心として反射鏡４を回転駆動することになる。
【００３７】
また、上述の各実施例では、マクロ装置のマクロステージと顕微鏡本体のステージとを一体的に構成している。しかしながら、マクロ装置のマクロステージと顕微鏡本体のステージとを別体に構成することもできる。
さらに、上述の各実施例では、標本像を接眼レンズを介して観察しているが、たとえばカメラにより写真撮影したり、テレビカメラにより撮像したりすることもできる。
【００３８】
さらに、上述の各実施例では、第１対物レンズ１０と第２対物レンズ１１とで顕微鏡本体の結像系を構成し、第１対物レンズ１０を無限系としている。しかしながら、第２対物レンズ１１を省略し、第１対物レンズ１０を有限系として標本９の像１２を形成するように構成してもよい。この場合、マクロ用対物レンズである極低倍用第１対物レンズ１０’も有限系とし、標本９の像１２の形成位置にマクロ観察用標本９’の像を形成すればよい。
【００３９】
【効果】
以上説明したように、本発明の顕微鏡によれば、バイパス光路を介してマクロ観察用標本に対しても適正な照明を行うことができるので、マクロ観察用標本の反射率に依存することなく良好なマクロ像を形成することが可能となる。
また、本発明のようにバイパス光路を利用することにより、極低倍用コンデンサーレンズや極低倍用第１対物レンズの焦点距離を大きく確保することが可能になる。その結果、光学設計が容易になり、レンズ枚数の少ない低コストのマクロ装置を実現することができる。
【図面の簡単な説明】
【図１】本発明の第１実施例にかかる顕微鏡の構成を概略的に示す図である。
【図２】本発明の第２実施例にかかる顕微鏡の構成を概略的に示す図である。
【図３】本発明の第３実施例にかかる顕微鏡の構成を概略的に示す図である。
【図４】本発明の第４実施例にかかる顕微鏡の構成を概略的に示す図である。
【図５】従来の顕微鏡の構成を概略的に示す図である。
【符号の説明】
１            光源
２            コレクタレンズ
３            視野絞り
４            反射鏡
５            フィールドレンズ
６            開口絞り６
７            コンデンサーレンズ
８            ステージ
９            標本
１０          第１対物レンズ
１１          第２対物レンズ
Ｐ            プリズム
１３          接眼レンズ
Ｍ            マクロ装置
１４〜１７    反射鏡
６’          マクロ開口絞り
７’          極低倍用コンデンサーレンズ
８’          マクロステージ
９’          マクロ観察用標本
１０’        極低倍用第１対物レンズ
１８          アフォーカスズームレンズ系
【図１】
0003584300.tif 000002
【図２】
0003584300.tif 000003
【図３】
0003584300.tif 000004
【図４】
0003584300.tif 000005
【図５】
0003584300.tif 000006